(57)【要約】      （修正有）【課題】ねじ蓋開け具を、ねじ蓋を開けること以外に、日常的に使えるようにすることにより、それ自体が邪魔にならないねじ蓋開け具を実現する。【解決手段】平板形状の本体の表面にＶ字形の巾狭溝を、裏面に巾狭溝より溝巾が広いＶ字形の巾広溝を９０度違えて配置し、巾狭溝と巾広溝の対向する側壁面の摩擦係数を異ならせる。そして、巾狭溝と巾広溝を挟んで相対する本体の外縁に、それぞれ一対の切欠部を設ける。また、本体の中央部に、表面から裏面に貫通した穴を設ける。【選択図】図１
0003129600.tif 000002
【実用新案登録請求の範囲】
【請求項１】
平板形状の本体の表面にＶ字形の巾狭溝と、裏面に前記巾狭溝より溝巾が広いＶ字形の巾広溝とを設け、前記巾狭溝と巾広溝の対向する側壁面の摩擦係数を異ならせたねじ蓋開け具。
【請求項２】
前記Ｖ字形をした巾狭溝と巾広溝の位相を、９０度違えて配置した請求項１記載のねじ蓋開け具。
【請求項３】
前記平板形状の本体の表面及び裏面は互いに平行な平面で構成されるとともに、その外形は四角形である請求項１又は２記載のねじ蓋開け具。
【請求項４】
前記平板形状の本体に設けた、前記Ｖ字形をした巾狭溝及び巾広溝を挟んで相対する前記平板形状の外縁に、それぞれ一対の切欠部を設けた請求項１〜３のいずれか１項に記載のねじ蓋開け具。
【請求項５】
前記平板形状の本体の中央部に、表面から裏面に貫通した穴を設けた請求項１〜４のいずれか１項に記載のねじ蓋開け具。
【考案の詳細な説明】
【技術分野】
【０００１】
本考案は、主として一般家庭の食堂や台所等で使用する、ビンや缶等のねじ蓋を容易に開けることが出来る、ねじ蓋開け具に関するものである。      
【背景技術】
【０００２】
従来の一般家庭の食堂や台所等で使用するねじ蓋開け具は、ビンや缶等のねじ蓋開け専用のものが一般的であるが、（例えば、特許文献１参照）缶切りが付いたものもある。（例えば、特許文献２参照）。
【０００３】
【特許文献１】実開昭４８−６６９６６号公報
【特許文献２】実開昭４８−４９０６３号公報
【考案の開示】
【考案が解決しようとする課題】
【０００４】
以上に述べた特許文献１のねじ蓋開け具は、ビンや缶等のねじ蓋開け専用であり、普段はあまり使わないので邪魔になり、どこかにしまうと必要なときに見つからず、探しまわる不便があった。
【０００５】
また、特許文献１のねじ蓋開け具は、ねじ蓋の径が小さなものから大きなものまで対応できるようになっているが、Ｖ字形の小径ねじ蓋用の溝と大径ねじ蓋用の溝が、同一の片面に配置されているため、対応できるねじ蓋の径の範囲が狭く、また、Ｖ字形の溝の底部の強度が弱い欠点があった。
【０００６】
また、特許文献２の缶切り付ねじ蓋開け具は、ねじ蓋開け用以外に缶切り用にも使用できてよいが、缶詰を食べるのは日常的なことでなく、やはりそれ自体が邪魔になるという欠点があった。
【０００７】
本考案は、このような従来の技術が有していた問題を解決しようとするものであり、ねじ蓋開け具を、ねじ蓋を開けること以外に、日常的に使えるようにすることにより、それ自体が邪魔にならないねじ蓋開け具を実現することを目的とするものである。  
【課題を解決するための手段】
【０００８】
上記目的を達成するために、平板形状の本体の表面に小径ねじ蓋用のＶ字形の巾狭溝と、裏面に前記巾狭溝より溝巾が広い大径ねじ蓋用のＶ字形の巾広溝とを設け、前記巾狭溝と巾広溝の対向する側壁面の摩擦係数を異ならせる。
【０００９】
前記Ｖ字形をした巾狭溝と巾広溝の寸法関係は、巾狭溝の広い方の開口寸法を巾広溝の狭い方の開口寸法と同等か、または、多少大きく設定する。
【００１０】
そして、前記Ｖ字形をした巾狭溝と巾広溝の位相を９０度違えて配置すると、巾狭溝の底部を成す底板が巾広溝の両側壁面の背部を形成する背部材で補強され、また、巾広溝の底部を成す底板が巾狭溝の両側壁面の背部を形成する背部材で補強されるので、その結果底板の肉厚を薄くできる。
【００１１】
さらに、前記平板形状の本体の表面及び裏面は互いに平行な平面で構成されるとともに、その外形は四角形に形成した方が好ましい。
【００１２】
また、前記平板形状の本体に設けた、前記Ｖ字形をした巾狭溝及び巾広溝を挟んで相対する前記平板形状の外縁に、それぞれ一対の切欠部を設けてもよい。
【００１３】
また、前記本体の中央部に、表面から裏面に貫通した穴を設けてもよい。
【考案の効果】
【００１４】
本考案は、以上説明したように構成されているので、次に記載する効果を奏する。
【００１５】
Ｖ字形をした溝の対向する側壁面の摩擦係数を異ならしているので、ねじ蓋をＶ字形をした溝で挟んで回すと、ねじ蓋と側壁面の間に直接手で回すよりも大きな摩擦力が発生し、握力が弱い高齢者や女性でもねじ蓋を容易に回して開けることができる。また、ねじ蓋開け具を持って回すときに、本体の外縁に設けた切欠部に指を掛けると、手が小さな人でも掴みやすく、滑り止としての効果もある。
【００１６】
そして、巾狭溝と巾広溝を併設しているので、巾狭溝で小径のねじ蓋に対応し、巾広溝で大径のねじ蓋に対応することにより、ねじ蓋の径が小さいものから大きなものまでより巾広く対応できる。
【００１７】
さらに、前述の理由によりＶ字形をした溝の底板の肉厚を薄くできるので平板形状の本体の厚さが薄くなり、かつＶ字形をした溝の両側壁面の背部を成す背部材が溝の左右に広がっていて、鍋を安定して置くことができるので、鍋敷きとしても使用できる。
【００１８】
また、中央部に設けた穴からねじ蓋の位置を覗くことができ、さらに、この穴を利用してしゃもじを立てたり、金具に掛けるときにも利用できるなどの効果がある。
【００１９】
従って、ねじ蓋開け具以外の用途にも使え、しかも、鍋敷やしゃもじ立ては日常的に使用するものであるので、ねじ蓋開け具を常時目に付くところに置いてあっても、それ自体はじゃまでなく、探す手間が省ける。
【考案を実施するための最良の形態】
【００２０】
以下、本考案の実施の形態について図面を参照して説明する。
図１〜２において、Ａはねじ蓋開け具であり、平板形状の本体１の表面２及び裏面３を互いに平行な平面で構成するとともに、その外形を四角形に形成する。
【００２１】
また、本体１の表面２に小径ねじ蓋用のＶ字形の巾狭溝４ａと、裏面３に前記巾狭溝４ａより溝巾が広い大径ねじ蓋用のＶ字形の巾広溝４ｂとを設け、そして、巾狭溝４ａと巾広溝４ｂの位相を９０度違えて配置する。ここで、それぞれの溝は底部を成す底板５を共通として、巾狭溝４ａは相対する溝の側壁面６ａ、７ａと背部にある背部材８ａ、９ａで構成され、巾広溝４ｂは相対する溝の側壁面６ｂ、７ｂと背部にある背部材８ｂ、９ｂで構成される。このように構成することにより、巾狭溝４の底板５は背部材８ｂ、９ｂで補強され、巾広溝４ｂの底板５は背部材８ａ、９ａで補強される。
【００２２】
さらに、それぞれのＶ字形をした溝において対向する側壁面の摩擦係数を異ならせるために、一方の側壁面６ａ、６ｂにゴム等の摩擦材１０ａ、１０ｂを、他方の側壁面７ａ、７ｂに樹脂等の滑り材１１ａ、１１ｂを取り付ける。
【００２３】
また、巾狭溝４ａと巾広溝４ｂの寸法関係は、巾狭溝４ａの広い方の開口寸法を巾広溝４ｂの狭い方の開口寸法と同等かそれよりも多少大きく設定し、ねじ蓋の径が小さいものから大きいものまで、どちらかの溝で対応できるようにする。
【００２４】
本体１の材料は、鍋敷としても使用できるように、木材或いは耐熱性樹脂が適当で、樹脂の場合は材料自体が滑り材になるので滑り材１１ａ、１１ｂは不要である。
【００２５】
また、巾狭溝４ａと巾広溝４ｂを挟んで相対する本体１の外周部分に、それぞれ一対の切欠部１２を設ける。なお、この切欠部１２の形状は、Ｖ字状でもコの字状でも指が掛けられる窪んだ形状であればよい。
【００２６】
そして、本体１の中央部に、表面２から裏面３に貫通した十文字形の穴１３を設ける。この穴１３は、ここに、しゃもじＦの柄を差し込んで立てることができ、また、この穴１３を利用してねじ蓋Ｂの位置を覗くこともできる他、売場などで金具に吊り掛けるときにも利用できる。なお、この十文字形の穴１３の形状は、一文字形や円形や四角形でもよく、要するにしゃもじの柄が入る程度の大きさの貫通した穴１３であればよい。
【００２７】
以下、上記実施例の使用方法を図３〜図６に基づいて説明する。図３図４に示すように、指を切欠部１２に掛けてねじ蓋開け具Ａを持ち、ねじ蓋径に合ったＶ字形の溝（本例では巾広溝４ｂ）がある方を下にして、ねじ蓋Ｂを巾広溝４ｂで挟んでから矢印の半時計方向に回すと、ねじ蓋Ｂが摩擦材１０ｂに接する部分を支点にして、滑り材１１ｂが食い込むようにねじ蓋Ｂの外周面を滑り、ねじ蓋Ｂと摩擦材１０ｂの間に摩擦力が発生するので、ねじ蓋Ｂとねじ蓋開け具Ａは一緒になって回動してねじ蓋Ｂは緩んで容器Ｃから離脱する。
【００２８】
このときに、ねじ蓋Ｂが容器Ｃに固着していると大きな回す力が必要で、摩擦力も大きくなり、巾広溝４ｂの底板５を曲げようとする大きな力がかかるので、底板５の厚みが薄いと破損する。しかし、本考案では前述の通り、Ｖ字形をした小径ねじ蓋用の巾狭溝４ａと大径ねじ蓋用の巾広溝４ｂを、溝の底部を成す底板５を共通として、位相を９０度違えて配置することにより、底板５が背部材８ａ、９ａで補強され強度が保たれる。
【００２９】
また、使用しないときは、図５に示すように、テーブル上面Ｅに置いて、鍋Ｄの鍋敷として使用できる。
【００３０】
さらに、図６に示すように中央の穴１３にしゃもじＦの柄を差し込んで、しゃもじ立てとしても利用できる。
【００３１】
尚、図７のように、本体１の形状を円形の平板状にしてもよい。しかし、同じ寸法のＶ字形をした溝を配置しようとすると、円形の外形寸法（直径寸法）の方が四角形の外形寸法（対辺寸法）より大きくなり、ねじ蓋開け具を握り難くなる。
【図面の簡単な説明】
【００３２】
【図１】本考案に係る実施例を示すねじ蓋開け具の平面図
【図２】同実施例を示すねじ蓋開け具のＸ−Ｘ線断面図
【図３】同実施例を示すねじ蓋開け具を使用中の平面図
【図４】同実施例を示すねじ蓋開け具をねじ蓋開け具として使用中のＹ−Ｙ線断面図
【図５】同実施例を示すねじ蓋開け具を鍋敷として使用中の側面図
【図６】同実施例を示すねじ蓋開け具をしゃもじ立てとして使用中の一部切欠側面図
【図７】本考案に係る別の実施例を示すねじ蓋開け具の平面図
【符号の説明】
【００３３】
１、２１    本体
２    表面    
３    裏面    
４ａ、２４ａ    巾狭溝    
４ｂ、２４ｂ    巾広溝
５    底板  
６ａ、６ｂ、２６ａ、２６ｂ    側壁面    
７ａ、７ｂ、２７ａ、２７ｂ    側壁面        
８ａ、８ｂ、２８ａ、２８ｂ    背部材    
９ａ、９ｂ、２９ａ、２９ｂ    背部材
１０ａ、１０ｂ、３０ａ、３０ｂ    摩擦片    
１１ａ、１１ｂ、３１ａ、３１ｂ    滑り片
１２、３２    切欠部
１３、３３    穴  
Ａ    ねじ蓋開け具
Ｂ    ねじ蓋  
Ｃ    容器
Ｄ    鍋
Ｅ    テーブル上面
Ｆ    しゃもじ
【図１】
0003129600.tif 000003
【図２】
0003129600.tif 000004
【図３】
0003129600.tif 000005
【図４】
0003129600.tif 000006
【図５】
0003129600.tif 000007
【図６】
0003129600.tif 000008
【図７】
0003129600.tif 000009